(57)【要約】【課題】コンテンツが容易に不正コピーされることを防止する。【解決手段】コア層２とクラッド層３とが交互に積層され、コア層２とクラッド層３の境界に情報が記憶されている回折格子層４が設けられてなる再生専用ホログラム媒体１であって、種類が２種類以上有り、互いにサイズ、形状の１つあるいは複数が異なるように構成される。【選択図】      図２
2004348595.tif 000002
【特許請求の範囲】
【請求項１】
コア層とクラッド層とが交互に積層され、前記コア層とクラッド層との境界に情報が記憶されている回折格子層が設けられてなる再生専用ホログラム媒体であって、
種類が２種類以上有り、互いにサイズ、形状の１つあるいは複数が異なることを特徴とする再生専用ホログラム媒体。
【請求項２】
面内方向のサイズが異なることを特徴とする請求項１に記載の再生専用ホログラム媒体。
【請求項３】
厚さ方向のサイズが異なることを特徴とする請求項１に記載の再生専用ホログラム媒体。
【請求項４】
媒体、媒体カバー、媒体カートリッジのうちの１つあるいは複数に、角切り、穴、切込みが施され、これらの有り無し、形状、数、位置の１つあるいは複数の違いによって形状が異なることを特徴とする請求項１に記載の再生専用ホログラム媒体。
【請求項５】
コア層とクラッド層とが交互に積層され、前記コア層とクラッド層との境界に情報が記憶されている回折格子層が設けられてなる再生専用ホログラム媒体であって、
種類が２種類以上有り、互いに結像距離が異なることを特徴とする再生専用ホログラム媒体。
【請求項６】
コア層とクラッド層とが交互に積層され、前記コア層とクラッド層との境界に情報が記憶されている回折格子層が設けられてなる再生専用ホログラム媒体であって、
種類が２種類以上有り、互いにデータ領域の位置、大きさ、形状の１つあるいは複数が異なることを特徴とする再生専用ホログラム媒体。
【請求項７】
コア層とクラッド層とが交互に積層され、前記コア層とクラッド層との境界に情報が記憶されている回折格子層が設けられてなる再生専用ホログラム媒体を再生する再生専用ホログラム媒体用ドライブであって、
種類が２種類以上有り、
媒体が媒体装填口より媒体装填スペース内に装填されるようになっており、
前記各ドライブは、特定種類の媒体に記録された情報のみを再生可能とするように、互いに前記媒体装填口及び媒体装填スペースの一方または双方のサイズ、形状の１つあるいは複数が異なることを特徴とする再生専用ホログラム媒体用ドライブ。
【請求項８】
コア層とクラッド層とが交互に積層され、前記コア層とクラッド層との境界に情報が記憶されている回折格子層が設けられてなる再生専用ホログラム媒体を再生する再生専用ホログラム媒体用ドライブであって、
種類が２種類以上有り、
媒体における所望のコア層に光を入射させる光ヘッドと、媒体から出射する再生光を検出する光検出器とを有し、
前記各ドライブは、それぞれ、特定種類の媒体に記録された情報のみを再生可能とするように、媒体と光検出器との距離を前記特定種類の媒体の結像距離に対応するように設定されていることを特徴とする再生専用ホログラム媒体用ドライブ。
【請求項９】
再生専用ホログラム媒体および再生専用ホログラム媒体用ドライブの使用方法であって、
請求項１乃至６のいずれかに記載の再生専用ホログラム媒体に適合する請求項７記載の再生専用ホログラム媒体用ドライブを使用して情報を再生することを特徴とする再生専用ホログラム媒体および再生専用ホログラム媒体用ドライブの使用方法。
【請求項１０】
再生専用ホログラム媒体および再生専用ホログラム媒体用ドライブの使用方法であって、
請求項１乃至６のいずれかに記載の再生専用ホログラム媒体に適合する請求項８に記載の再生専用ホログラム媒体用ドライブを使用して情報を再生することを特徴とする再生専用ホログラム媒体および再生専用ホログラム媒体用ドライブの使用方法。
【発明の詳細な説明】
【０００１】
【発明の属する技術分野】
本発明は、再生専用ホログラム媒体、再生専用ホログラム媒体ドライブ、再生専用ホログラム媒体およびドライブの使用方法に関する。
【０００２】
【従来の技術】
従来の再生専用ホログラム媒体としての積層ホログラムＲＯＭについて以下に説明する（例えば、特許文献１参照）。
図１４は、積層ホログラムＲＯＭ媒体１０１の側面（断面）を示す図であり、コア層１０２とクラッド層１０３とが交互に積層され、コア層１０２とクラッド層１０３との境界に回折格子層１０４が設けられた構造を成している。
回折格子層１０４には情報が例えば凹凸形状によって記憶されている。
【０００３】
図１５は積層ホログラムＲＯＭドライブ１０５の側面を示す図であり、積層ホログラムＲＯＭドライブ１０５は、光ヘッド１０６と、光検出器１０７とから構成されている。光ヘッド１０６は積層ホログラムＲＯＭ媒体１０１の所望のコア層に入射光１０８を入射する機能を持つ。
光ヘッド１０６により積層ホログラムＲＯＭ媒体１０１の所望のコア層１０２に入射光１０８を入射させると、光は回折格子層１０４に記憶されている情報に依存して回折され、再生光１０９が積層ホログラムＲＯＭ媒体１０１の上面に出射する。
【０００４】
これを光検出器１０７で検出すると積層ホログラムＲＯＭ媒体１０１に蓄積された情報を再生することができる。積層ホログラムＲＯＭ媒体１０１は小型大容量化でき、また積層ホログラムＲＯＭドライブ１０５は構成、構造が単純なため小型化できる。積層ホログラムＲＯＭは将来の小型大容量なコンテンツ配布用メモリとして期待されている。
【０００５】
【特許文献１】
特開平１１−３４５４１９号公報
【非特許文献１】
【０００６】
【発明が解決しようとする課題】
一方、従来のコンテンツ配布媒体であるＣＤ（例えば、非特許文献１参照）では、ＡＶ（Ａｕｄｉｏ  Ｖｉｓｕａｌ）用ＣＤ（ＣＤ−ＤＡ）媒体をＰＣ（Ｐｅｒｓｏｎａｌ  Ｃｏｍｐｕｔｅｒ）用ＣＤ（ＣＤ−ＲＯＭ）ドライブを使って読み取ることにより、ＡＶ用ＣＤ内のＡＶコンテンツが不正コピーされるという問題がある。
ＡＶ用ドライブに関しては、出力をアナログだけとし、ディジタル出力しないことにより、ディジタルコンテンツの不正コピーを防止することが可能となる。
【０００７】
一方、ＰＣ用ドライブに関しては、ＰＣと接続する必要上、ディジタル出力機能を有することは必須である。したがって、ＡＶ用媒体、ＰＣ用媒体ともにＰＣ用ドライブで読み取れてしまうと、不正コピーを防止することはできなくなる。特に、ＡＶコンテンツに関してはその市場規模が大きいため、著作権保護が大きく問題視されており、不正コピーを防止する対策技術の開発が急務となっている。
【０００８】
積層ホログラムＲＯＭにおいてもＣＤと同様に、仮にＡＶ用媒体をＰＣ用ドライブを用いて読み取れるとすると、ＡＶコンテンツが不正コピーされるという問題が発生する。
本発明は上記問題を改善するために提案されたもので、コンテンツが容易に不正コピーされる、という問題を解決した不正コピーを防止することができる再生専用ホログラム媒体、再生専用ホログラム媒体ドライブ、再生専用ホログラム媒体およびドライブの使用方法を提供することを目的とする。
【０００９】
【課題を解決するための手段】
上記目的を達成するために請求項１に記載の発明は、コア層とクラッド層とが交互に積層され、前記コア層とクラッド層との境界に情報が記憶されている回折格子層が設けられてなる再生専用ホログラム媒体であって、種類が２種類以上有り、互いにサイズ、形状の１つあるいは複数が異なることを特徴とする。
【００１０】
また、請求項２に記載の発明は、請求項１に記載の再生専用ホログラム媒体において、面内方向のサイズが異なることを特徴とする。
【００１１】
また、請求項３に記載の発明は、請求項１に記載の再生専用ホログラム媒体において、厚さ方向のサイズが異なることを特徴とする。
【００１２】
また、請求項４に記載の発明は、請求項１に記載の再生専用ホログラム媒体において、媒体、媒体カバー、媒体カートリッジのうちの１つあるいは複数に、角切り、穴、切込みが施され、これらの有り無し、形状、数、位置の１つあるいは複数の違いによって形状が異なることを特徴とする。
【００１３】
また、請求項５に記載の発明は、コア層とクラッド層とが交互に積層され、前記コア層とクラッド層との境界に情報が記憶されている回折格子層が設けられてなる再生専用ホログラム媒体であって、種類が２種類以上有り、互いに結像距離が異なることを特徴とする。
【００１４】
また、請求項６に記載の発明は、コア層とクラッド層とが交互に積層され、前記コア層とクラッド層との境界に情報が記憶されている回折格子層が設けられてなる再生専用ホログラム媒体であって、種類が２種類以上有り、互いにデータ領域の位置、大きさ、形状の１つあるいは複数が異なることを特徴とする。
【００１５】
また、請求項７に記載の発明は、コア層とクラッド層とが交互に積層され、前記コア層とクラッド層との境界に情報が記憶されている回折格子層が設けられてなる再生専用ホログラム媒体を再生する再生専用ホログラム媒体用ドライブであって、種類が２種類以上有り、媒体が媒体装填口より媒体装填スペース内に装填されるようになっており、前記各ドライブは、特定種類の媒体に記録された情報のみを再生可能とするように、互いに前記媒体装填口及び媒体装填スペースの一方または双方のサイズ、形状の１つあるいは複数が異なることを特徴とする。
【００１６】
また、請求項８に記載の発明は、コア層とクラッド層とが交互に積層され、前記コア層とクラッド層との境界に情報が記憶されている回折格子層が設けられてなる再生専用ホログラム媒体を再生する再生専用ホログラム媒体用ドライブであって、種類が２種類以上有り、媒体における所望のコア層に光を入射させる光ヘッドと、媒体から出射する再生光を検出する光検出器とを有し、前記各ドライブは、それぞれ、特定種類の媒体に記録された情報のみを再生可能とするように、媒体と光検出器との距離を前記特定種類の媒体の結像距離に対応するように設定されていることを特徴とする。
【００１７】
また、請求項９に記載の発明は、再生専用ホログラム媒体および再生専用ホログラム媒体用ドライブの使用方法であって、請求項１乃至６のいずれかに記載の再生専用ホログラム媒体に適合する請求項７記載の再生専用ホログラム媒体用ドライブを使用して情報を再生することを特徴とする。
【００１８】
また、請求項１０に記載の発明は、再生専用ホログラム媒体および再生専用ホログラム媒体用ドライブの使用方法であって、請求項１乃至６のいずれかに記載の再生専用ホログラム媒体に適合する請求項８に記載の再生専用ホログラム媒体用ドライブを使用して情報を再生することを特徴とする。
【００１９】
【発明の実施の形態】
以下、具体的実施例を挙げて、図面を参照して説明する。
【００２０】
〈積層ホログラムＲＯＭの実施例〉
まず再生専用ホログラム媒体としての積層ホログラムＲＯＭの実施例について説明する。
図１は、積層ホログラムＲＯＭに用いる媒体１の実施例であり、側面（断面）を示す図である。媒体１は、１つのコア層２と、コア層２を挟むように配置した２つのクラッド層３と、コア層２とクラッド層３との境界、あるいはコア層２内に設けた１つの回折格子層４とから構成されている。
【００２１】
図２は、積層ホログラムＲＯＭに用いる別の媒体１の実施例であり、側面（断面）を示す図である。この媒体１は、複数のコア層２と、コア層２を挟むように配置した複数のクラッド層３と、コア層２とクラッド層３との境界、あるいはコア層２内に設けた複数の回折格子層４とから構成されている。図１に示す媒体に比して図２に示す媒体１の方が大容量化できる点で有利である。
また、回折格子層４には情報が例えば凹凸形状、あるいは屈折率分布として記憶されており、コア層２に入射光８を入射させると、光は回折格子層４に記憶されている情報に依存して回折され、媒体１の上面（および下面）に再生光９が出射する。コア層２の厚さは１μｍ程度，クラッド層３の厚さは１０μｍ程度である。
【００２２】
コア層２への入射光８の入れ方としては、媒体１の端面から入射させる方法、各コア層２に光結合部を設け媒体１の上面あるいは下面から入射させる方法、コア層２にミラー面を設け媒体１の上面あるいは下面から入射させる方法が挙げられ、これらの各方法は同様の効果を奏する。但し、媒体の端面から入射させる方法は媒体１に光結合部、ミラー面などを設ける必要がない点で有利である。
【００２３】
図３は積層ホログラムＲＯＭの再生に用いるドライブ５であり、少なくとも光ヘッド６と、光検出器７とから構成される。光ヘッド６、光検出器７の数は１つあるいは複数でも良く同様の効果を奏する。なお、図３では、ドライブ５の構成要素として、媒体１をドライブ５内に装填する入り口である媒体装填口１０、媒体が装填されるスペースである媒体装填スペース１１、媒体１をドライブ５内で固定する媒体装填台１２を含んでいる。これらは媒体１をドライブ５に容易にかつ安定に装填することができる効果がある。
【００２４】
光ヘッド６は媒体１の所望のコア層２に入射光８を入射する機能を持つ。例えば入射光８の発生源であるレーザ光源、入射光８をコア層２に集光させる機能をもつ集光レンズ、入射光８を所望のコア層２の位置、角度で入射させる機能を持つアクチュエータなどから構成される。また、特定のコア層２の位置、角度に入射光８を移動、停止させるサーボ機能を有する。
光検出器７は媒体１から出射した再生光９を検出する機能を持つ。必要に応じて移動機構を有する。
【００２５】
ＣＯＤ、ＣＭＯＳなど二次元光検出器、ラインセンサなど一次元光検出器、フォトダイオードなどが例として挙げられる。再生光９は二次元データとして出射されるため一次元光検出器、さらに二次元光検出器ではこれをより短時間で検出できるという効果がある。
ドライブ５の他の構成要素としては、例えば以下が挙げられる。
【００２６】
開口マスク：媒体１と光検出器７との間に配置され，各々の回折格子層４に多重に情報を記憶した場合、各回折格子層４から出射する複数の再生光９を分離再生する機能を持つ。開口マスクを用いることにより、媒体１に多重情報蓄積・再生が可能となるため媒体の大容量化が図れるという効果がある。
開口マスクとしては、例えば、液晶素子から成り電気的に開口位置を変化させるもの、開口位置を固定したマスクを移動させるもの等が挙げられる．前者は機械的駆動が不要となり、有利である．
【００２７】
光路制御器：媒体１と光検出器７との間に配置され、再生光９の出射光路を変化制御する機能を持つ。例えば、レンズ、プリズムなどが挙げられ、これらは、同様の効果を奏する。例えば再生光９を集光させることにより，光検出器７として小型の安価なものが使える、光検出器７の移動距離を小さくでき高速化できるなどの効果がある。
論理／制御回路：データ信号の処理、および光ヘッド６、光検出器７、開口マスクなどアクティブ素子を駆動制御する機能を持つ回路である。
なお、本明細書で図示したドライブ５は、本発明の典型的な実施例に過ぎず、構成要素の配置が変わったものも本発明の範躊とする。これら構成要素の配置が変わったものも同様の効果を奏する。
【００２８】
以下に積層ホログラムＲＯＭの動作を説明する。光ヘッド６により媒体１の所望のコア層２に入射光８を入射させると、再生光９が例えば媒体１の上面に出射する。これを光検出器７で検出すると媒体１に記憶された情報を再生することができる。媒体１は上記のように小型大容量化でき、またドライブ５も構成、構造が単純なため小型化できる。
【００２９】
〈媒体、ドライブ、媒体およびドライブの使用方法の実施例〉
次に、本発明の再生専用ホログラム媒体、再生専用ホログラム媒体ドライブ、再生専用ホログラム媒体およびドライブの使用方法の実施例を示す。
図４から図７は媒体１のサイズ、形状が異なり、ドライブ５も各媒体１に対応して構成要素のサイズ、形状、および構成が異なる実施例を示す図である。
図４から図７において、各媒体１は積層ホログラムＲＯＭ媒体であって、種類が２種類以上有り、互いにサイズ、形状の１つあるいは複数が異なっている。
【００３０】
図４に示す媒体１は他の媒体１とは面内方向のサイズが異なっており、図５に示す媒体１では厚さ方向のサイズが他の媒体１と異なっている。図６、７では媒体１、媒体カバー１４、媒体カートリッジの１つあるいは複数に、角切り１５、穴１６、切込み１７が施され、これらの有り無し、形状、数、位置の１つあるいは複数の違いによって媒体１の形状が異なっている。
また、ドライブ５は積層ホログラムＲＯＭドライブであって、種類が２種類以上有り、媒体１に対応して、互いにサイズ、形状、構成の１つあるいは複数が異なっている。
また、本発明の媒体およびドライブの使用方法は、媒体１およびドライブ５を用いる使用方法である．
【００３１】
図４は媒体１、ドライブ５の上面（あるいは下面）を示す図であり、媒体１の面内のサイズを変えた実施例である。図４の例では、  （ａ）の媒体１は（ｂ）の媒体１より幅のみが大きくなっている。また、これに対応して、  （ａ）のドライブ１の媒体装填口１０および媒体装填スペース１１は（ｂ）のドライブ５におけるそれらより大きくなっている。上記の媒体１とドライブ５を使用することにより、  （ａ）の媒体１は．  （ｂ）のドライブ５に装填できないため、（ａ）の媒体１内のコンテンツを（ｂ）のドライブ５を用いてコピーすることを防止できる。よって、例えば（ａ）をＡＶ用、（ｂ）をＰＣ用とすることにより、ＡＶコンテンツをＰＣ用ドライブで不正コピーすることを防止できる。
【００３２】
媒体１の面内サイズ以外の仕様も変え、ドライブ５もこれに対応して仕様を変える方法も挙げられ同様の効果を奏するが、媒体１の面内サイズ、媒体装填口１０、媒体装填スペース１１のみを異なるものとし、それ以外（媒体上のデータ領域１３、光ヘッド６、光検出器７、開口マスク、光路制御器、論理／制御のアルゴリズム／回路など）を（ａ）、（ｂ）で変えないことにより、パーツ、技術、設計の共通化が図れ、低コスト化できるという効果がある。
【００３３】
媒体１の奥行き方向のサイズを異なるものとすることもでき、同様の効果を奏する。但し、図４の場合、すなわち、幅方向のサイズのみが異なる場合、媒体１端面と光ヘッド６間の距離が変わらないため、図４（ａ）、  （ｂ）で共通の光ヘッド６を使用できるが、奥行き方向のサイズが異なると、媒体１端面と光ヘッド６間の距離が変わり、図４（ａ）、（ｂ）で共通の光ヘッド６を使用できなくなる。
なお、図４では入射光８方向を、媒体１の奥行き方向としているが、光ヘッド６の配置を変え、入射光８方向を媒体１の幅方向とすることができる。この場合には、上記幅方向と奥行き方向の関係は逆になる。
【００３４】
図５は媒体１、ドライブ５の側面を示す図であり、媒体１の厚さ方向のサイズを変えた実施例である。図５の例では、図５（ａ）の媒体１は図５（ｂ）の媒体１より厚さのみが大きくなっている。また、これに対応して、図５（ａ）のドライブ５の媒体装填口１０および媒体装填スペース１１は図５（ｂ）のドライブ５におけるそれらより大きくなっている。
【００３５】
上記の媒体１とドライブ５を使用することにより、図５（ａ）の媒体１は、図５  （ｂ）のドライブ５に装填できないため、図５（ａ）の媒体１内のコンテンツを図５（ｂ）のドライブ５を用いてコピーすることを防止できる。
よって例えば、図５（ａ）に示す媒体１及びドライブ５をＡＶ用，  図５（ｂ）に示す媒体１及びドライブ５をＰＣ用とすることにより、ＡＶコンテンツをＰＣ用ドライブで不正コピーすることを防止できる。
【００３６】
媒体１の厚さを変える方法としては、層数を変える方法、コア層２、クラッド層３、回折格子層４の内１つあるいは複数の厚さを変える方法（コア層２、回折格子層４は設計上１μｍ程度となるが、クラッド層３はコア層２（回折格子層４）間で光伝送がクロストークしない程度に厚ければよく、例えば、１０μｍ以上の任意の値をとることができる）、厚さ方向にゲタをはかせる方法が挙げられ、いずれか１つあるいは複数の方法を用いることができ、いずれも同様の効果が得られる。
【００３７】
媒体１の厚さ以外の仕様も変え、ドライブ５もこれに対応して仕様を変える方法も挙げられ同様の効果を奏するが、媒体１の厚さ、媒体装填口１０、媒体装填スペース１１を異なるものとし、それ以外（媒体上のデータ領域１３、光ヘッド６、光検出器７、開口マスク、光路制御器、論理／制御のアルゴリズム／回路など）を図５（ａ）、図５（ｂ）に示す構成で変えないことによりパーツ、技術、設計の共通化が図れ、低コスト化が図れるという効果がある。
【００３８】
図６は本発明の媒体１の側面を示す図である。媒体１の上面および側面の一部に媒体カバー１４が配設されている。本発明の媒体１では、入射光８を入射するために４つの媒体１端面の内少なくとも１つ、および再生光９が出射するために２つの媒体１上下面の内少なくとも１つを残してカバーしてもかまわない。
また、これらの面を露出できるようシャッタ付きの媒体カートリッジに収めてもかまわない。このような媒体カバー１４、媒体カートリッジは媒体１の破損、汚れを防ぎ、また取り扱い、（媒体カバー１４，媒体カートリッジに文字や絵図を記載することにより）識別を容易にする効果がある。
なお、媒体カバー１４、媒体カートリッジがなくても動作上は問題無いため、媒体カバー１４、媒体カートリッジ無しでも良い。
【００３９】
図７は媒体１の形状を変えた実施例である。図７（ａ）は角切り１５、図７（ｂ）は穴１６、図７（ｃ）は切込み１７を施した例である。これらを媒体１あるいは媒体カバー１４、媒体カートリッジに設け、これらの有り無し、形状、数、位置を変える。ドライブ５側にはこれらの違いを光学的、電気的、あるいは機械的に検知し、媒体１の違いを認識する機能を持たせる。光学的、電気的、あるいは機械的に検知した後、電気信号に変え再生動作を電気的に制御する方法、および機械的に媒体１を装填できなくする方法（形状の違いにより媒体１が媒体装填スペース１１内でつっかえて装填困難となるものも含む）が挙げられ同様の効果を奏する。
【００４０】
上記の媒体１とドライブ５を使用することにより、例えばＡＶ用媒体をＰＣ用ドライブで再生動作できなくすることにより、不正コピー防止が可能となる。
媒体１の形状以外の仕様も変え、ドライブ５もこれに対応して仕様を変える方法も挙げられ同様の効果を奏するが、媒体１の形状を変え、ドライブ５側はこれを検出する機能を有するだけとし、それ以外（媒体１上のデータ領域１３、光ヘッド６、光検出器７、開口マスク、光路制御器、論理／制御のアルゴリズム／回路など）を変えないことにより、パーツ、技術、設計の共通化が図れ、低コスト化が図れるという効果がある。
【００４１】
次に図８は媒体１と光検出器７との距離（回折格子層４と光検出器７との距離）すなわち、結像距離を変えた実施例、図９は媒体１内のデータ領域１３の位置、大きさ、形状すなわち、結像位置を変えた実施例を示す図である。
図８では媒体１は積層ホログラムＲＯＭ媒体であって、種類が２種類以上有り、互いに各回折格子層４と光検出器７との距離が異なっている。
また、図９では媒体１は積層ホログラムＲＯＭ媒体であって、種類が２種類以上有り、互いにデータ領域１３の位置、大きさ、形状の１つあるいは複数が異なっている。
【００４２】
また、ドライブ５は積層ホログラムＲＯＭドライブであって、種類が２種類以上有り、媒体１に対応して、互いにサイズ、形状、構成の１つあるいは複数が異なっている。
また、本発明の媒体およびドライブの使用方法は、媒体１およびドライブ５を用いる使用方法である。
【００４３】
図８は媒体１、ドライブ５の側面を示す図であり、媒体１と光検出器７との距離（回折格子層４と光検出器７との距離）を変えた実施例である。図８の例では図８（ａ）での媒体１（回折格子層４）と光検出器７の距離より図８（ｂ）での媒体１（回折格子層４）と光検出器７の距離は大きくなっている。媒体１では各回折格子層４からの再生光９が光検出器７の位置で結像するよう設計される。
【００４４】
すなわち、図８（ａ）のドライブ５では図８（ａ）の媒体１における各回折格子層４からの再生光９が光検出器７の位置で結像するよう設計されており、一方図８（ｂ）のドライブ５では図８（ｂ）の媒体１における各回折格子層４からの再生光９が光検出器７の位置で結像するように設計されている。したがって、図８（ａ）の媒体１を図８（ｂ）のドライブ５に装填した場合、および図８（ｂ）の媒体１を図８（ａ）のドライブ５に装填した場合、互いに（それぞれの）結像距離が異なり、回折格子層４から出射した再生光９は光検出器７の位置で結像しないため、光検出器７で意味の有る情報として検出できない。
【００４５】
よって媒体１の情報を読み取ることができず、不正コピーを防止することができる。例えば、図８（ａ）に示す媒体１及びドライブをＡＶ用、図８（ｂ）  に示す媒体１及びドライブをＰＣ用とすることにより、ＡＶコンテンツをＰＣ用ドライブで不正コピーすることを防止できる。
なお、結像条件を変える方法としては上記の他にレーザ光の波長を変える、光検出器７の仕様（画素の形状，画素数，画素ピッチなど）を変える、開口マスクによる多重方法を変える、光路制御器を変えるなどが挙げられ、同様の効果を奏する。
【００４６】
但し、これらでは回折格子層４に作成する（記憶させる）情報の結像設計以外に種々のパーツの仕様が変わってしまう。また、回折格子層４と光検出器７との距離以外の媒体１、ドライブ５の仕様を変える方法も挙げられ、同様の効果を奏するが、各回折格子層４と光検出器７の間の距離に応じた結像設計のみを変え、それ以外（媒体１上のデータ領域１３、光ヘッド６、光検出器７、開口マスク、光路制御器、論理／制御のアルゴリズム／回路など）を図８（ａ）、図８  （ｂ）に示す構成において変えないことにより、パーツ、技術、設計の共通化が図れ、低コスト化が図れるという効果がある。
【００４７】
各回折格子層４と光検出器７の間の距離に応じた結像設計は、もともと１つの媒体１の中で、各回折格子層４に対して実施する必要があるため、図８（ａ）に示す構成と図８（ｂ）に示す構成で異なっていてもさほど設計に負担はかからない。
また、図８  （ａ）、  （ｂ）において媒体１と光検出器７間の距離を、光ヘッド６の可動範囲内となるように設定することにより、光ヘッド６も共通化することができる。
【００４８】
図９は媒体１、ドライブ５の上面（あるいは下面）を示す図であり、媒体１内のデータ領域１３の位置を変えた実施例である。図９の例では、図９（ａ）の媒体１内のデータ領域１３の位置と図９（ｂ）の媒体１内のデータ領域１３の位置は異なっている。また、これに対応して図９（ａ）のドライブ５と図９（ｂ）のドライブ５では、光検出器７、開口マスク、光路制御器などの位置が異なっている。データ領域１３の位置だけでなく、大きさ、形状を変えても同様の効果を奏する。
【００４９】
ドライブ５側の光検出器７、開口マスク、光路制御器などもこれに対応して必要に応じて位置、大きさ、形状を変えるものとする。図９  （ａ）、  （ｂ）の媒体１とドライブ５を交換した場合、互いに（それぞれの）結像位置が異なり、正しく情報を検出することができない。よって媒体１の情報を読み取ることができず、不正コピーを防止することができる。例えば、図９（ａ）に示す媒体１及びドライブをＡＶ用、図９（ｂ）に示す  媒体１及びドライブをＰＣ用とすることにより、ＡＶコンテンツをＰＣ用ドライブで不正コピーすることを防止できる。
【００５０】
媒体１内のデータ領域１３の位置、大きさ、形状以外の仕様を変え、ドライブ５もこれに対応して仕様を変える方法も挙げられ、この方法も同様の効果を奏するが、媒体１内のデータ領域１３の位置、大きさ、形状、およびドライブ５の光検出器７、開口マスク、光路制御器などの位置、大きさ、形状を変え、それ以外（光ヘッド６、論理／制御のアルゴリズム／回路など）を図９（ａ）、図９（ｂ）で変えないことにより、パーツ、技術、設計の共通化が図れ、低コスト化できるという効果がある。
【００５１】
特に、データ領域１３の位置だけを変える方法では、光検出器７、開口マスク、光路制御器などの共通化が図れ、低コスト化が図れるという効果がある。
なお、本明細書で示した実施例の内１つだけでなく複数の実施例を組み合わせても同様の効果を奏する。
また、本発明と、暗号、スクランブルなどのソフト的コピープロテクトを併用することによって、より強固な不正コピー防止が実現できる。
【００５２】
媒体１のサイズ、形状が異なる場合、不正コピーを試みるためにはサイズ、形状を合わせるため媒体１を削り取り成型する必要がある。削り取る箇所すなわち、サイズ、形状の差分となる領域に再生許可情報（認証キー，暗号／スクランブル用キー）記憶させておくと、削り取りによりこれらの情報が消失し、再生できなくなるという効果がある。
【００５３】
具体例を図１０、図１１、図１２、図１３にそれぞれ、示す。これらの図において１８は再生信号許可情報が記憶されている場所を示す。再生信号許可情報は１つ、あるいは複数あっても同様の効果を奏する。各ドライブはこれらの媒体に対応して再生信号許可信号を検出する機能を有するものとする。
【００５４】
図１０は図４に対応した実施例であり、媒体１の幅が異なる例である。媒体幅方向に再生信号許可情報が記憶されており、例えば、図１０（ａ）に示す媒体１を図１０（ｂ）に示す媒体１の再生に使用するドライブで再生するために、図１０（ａ）に示す媒体１の幅方向の両端を削り取ると、再生信号許可情報１８も同時に削り取ることになり、図１０（ａ）に示す媒体１を再生できなくなる。
一方、図１０（ｂ）に示す媒体１には再生信号許可情報があるため、図１０（ｂ）に示す媒体１の再生に使用するドライブで再生可能である。
【００５５】
図１１は、図５に対応する実施例であり、媒体１の厚さが異なる例である。例えば、媒体の上層部、下層部などに再生信号許可情報が記憶されており、例えば、図１１（ａ）に示す媒体１を図１１（ｂ）に示す媒体１の再生に使用するドライブで再生させるため、図１１（ａ）に示す媒体１の上層部、下層部などを削り取ると、再生信号許可情報１８も同時に削りとることになり、図１１（ａ）に示す媒体１を再生することができなくなる。
一方、図１１（ｂ）に示す媒体１には再生信号許可情報があるため、図１１（ｂ）に示す媒体１の再生に使用するドライブで再生可能である。
【００５６】
図１２は図７に対応する実施例であり、図１２（ａ）に示す媒体１は、右端に切込み１７を持ち、右肩に再生許可情報１８を持つ媒体であり、また図１２（ｂ）に示す媒体１は、右肩に角切り１５を持ち、右端に再生許可情報１８を持つ媒体である（図７に示すように穴１６を持つ場合も同様である。）。このような構成の媒体では、例えば、図１２（ａ）に示す媒体１を図１２（ｂ）に示す媒体１の再生に使用するドライブで再生させるため、図１２（ａ）に示す媒体１の右肩を削り取ると、再生信号許可情報１８も同時に削り取ることになり、また、図１２（ａ）に示す媒体１は、右端に再生信号許可情報１８を持たないため、図１２（ａ）に示す媒体１を再生することができない。
【００５７】
一方、図１２（ｂ）に示す媒体１には再生信号許可情報１８があるため、図１２（ｂ）に示す媒体１の再生に使用するドライブで再生可能である。
図１３は、図９に対応する実施例であり、媒体１内のデータ領域１３の位置が異なる例である。例えば、媒体の端などに再生信号許可情報が記憶されており、例えば、図１３図（ａ）に示す媒体１を図１３（ｂ）に示す媒体１の再生に使用するドライブで再生させるため、図１３（ａ）に示す媒体１の下端を削り取ると、再生信号許可情報１８も同時に削り取ることになり、図１３（ａ）に示す媒体１を再生できなくなる。あるいは、図１３（ａ）に示す媒体１には、その上端に再生信号許可情報１８がないため、再生できない。
【００５８】
一方、図１３（ｂ）に示す媒体１には再生信号許可情報があるため、図１３（ｂ）に示す媒体１の再生に使用するドライブで再生可能である。
なお、再生信号許可情報としては、例えば、サーボ信号でもよい。これを消失させることによっても、サーボが効かなくなり信号検出が不可能となる。
また媒体１端面の内、入射光８が入る面を削り取る必要がある場合は、この面を光学的にきれいな面に成型しないと入射光８がうまくコア層に入射しないため、削り取り加工が難しく不正コピーがし難くなるという効果を奏する。
【００５９】
用途ごとに媒体１、ドライブ５の（特にハード的な）仕様を変えることにより不正コピー防止は可能となるが、媒体１上のデータ領域１３、光ヘッド６、光検出器７、開口マスク、光路制御器、論理／制御のアルゴリズム／回路などの仕様をあまり変えると、パーツ、技術、設計の共通化が図れず高コストとなる。
本発明ではこれらの共通化を図ることにより、量産化によるコストダウン効果が得られるという利点がある。
【００６０】
【発明の効果】
以上説明したように、本発明によれば、積層ホログラムＲＯＭの用途間で、媒体、ドライブの兼用化（交換）ができない（交換すると再生できない）ため不正コピーが防止される。
また、不正コピーを防止する際、媒体、ドライブのパーツ、技術、設計の共通化が図られるため低コスト化が図れる、という効果を有する。
【図面の簡単な説明】
【図１】本発明に係る再生専用ホログラム媒体の一実施例の構成を示す側面（断面）図。
【図２】本発明に係る再生専用ホログラム媒体の他の実施例の構成を示す側面（断面）図。
【図３】本発明に係る再生専用ホログラム媒体用ドライブの一実施例の構成を示す図。
【図４】本発明に係る再生専用ホログラム媒体と、この媒体を再生するための再生専用ホログラム媒体用ドライブとを示す構成図。
【図５】本発明に係る再生専用ホログラム媒体と、この媒体を再生するための再生専用ホログラム媒体用ドライブとを示す構成図。
【図６】本発明に係る再生専用ホログラム媒体の側面を示す説明図。
【図７】本発明に係る再生専用ホログラム媒体の、形状の異なる実施例を示す図。
【図８】本発明に係る再生専用ホログラム媒体（側面）と、この媒体を再生するための再生専用ホログラム媒体用ドライブ（側面）の構成を示す図。
【図９】本発明に係る再生専用ホログラム媒体（上面または下面）と、この媒体を再生するための再生専用ホログラム媒体用ドライブ（上面または下面）の構成を示す図。
【図１０】再生専用ホログラム媒体のサイズ、形状が異なる場合において、不正コピーが防止できるようにした具体例を示す説明図。
【図１１】再生専用ホログラム媒体のサイズ、形状が異なる場合において、不正コピーが防止できるようにした他の具体例を示す説明図。
【図１２】再生専用ホログラム媒体のサイズ、形状が異なる場合において、不正コピーが防止できるようにした他の具体例を示す説明図。
【図１３】再生専用ホログラム媒体のサイズ、形状が異なる場合において、不正コピーが防止できるようにした他の具体例を示す説明図。
【図１４】従来の再生専用ホログラム媒体の構成を示す側面（断面）図。
【図１５】従来の再生専用ホログラム媒体用ドライブの構成を示す図。
【符号の説明】
１：媒体，１０１：積層ホログラムＲＯＭ媒体，  ２：コア層，１０２：コア層，３：クラッド層，１０３：クラッド層，４：回折格子層，１０４：回折格子層，５：ドライブ，１０５：積層ホログラムＲＯＭドライブ，６：光ヘッド，１０６：光ヘッド，７：光検出器，１０７：光検出器，８：入射光，１０８：入射光，９：再生光，１０９：再生光，１０：媒体装填口，１１：媒体装填スペース，１２：媒体装填台，１３：データ領域，１４：媒体カバー，１５：角切り，１６：穴，１７：切取り
【図１】
2004348595.tif 000003
【図２】
2004348595.tif 000004
【図３】
2004348595.tif 000005
【図４】
2004348595.tif 000006
【図５】
2004348595.tif 000007
【図６】
2004348595.tif 000008
【図７】
2004348595.tif 000009
【図８】
2004348595.tif 000010
【図９】
2004348595.tif 000011
【図１０】
2004348595.tif 000012
【図１１】
2004348595.tif 000013
【図１２】
2004348595.tif 000014
【図１３】
2004348595.tif 000015
【図１４】
2004348595.tif 000016
【図１５】
2004348595.tif 000017